(57)【特許請求の範囲】
【請求項１】
買い物袋の選択または買い物袋の不要を選択するための選択画面を介して買い物袋に関する選択操作を受付ける操作受付手段と、
前記操作受付手段が受付けた選択操作に対応する買い物袋に関する情報である袋選択情報を生成し、情報媒体に記録する情報記録手段と、
前記情報媒体を介して前記袋選択情報を受付ける袋情報受付手段と、
前記袋情報受付手段が前記情報媒体を介して前記袋選択情報を受付けると、前記選択画面における選択操作を介さずに、前記情報媒体を介して受付けた前記袋選択情報に基づいて買い物袋を選択する袋選択手段と、
を備えるセルフチェックアウト装置。
【請求項２】
前記操作受付手段が選択操作を受付けた前記買い物袋について変更を受付ける変更受付手段をさらに備え、
前記情報記録手段は、前記変更受付手段が受付けた変更内容を反映して前記袋選択情報を生成し、生成した前記袋選択情報を前記情報媒体に記録する、請求項１に記載のセルフチェックアウト装置。
【請求項３】
商品を販売登録するための登録画面と、当該登録画面の表示に先だって前記選択画面を表示する選択画面表示手段と、
前記袋情報受付手段が前記情報媒体から前記袋選択情報を受付けると、前記選択画面のうち少なくとも一部の表示を省いて、前記登録画面に表示を遷移させる表示制御手段と、
をさらに備える、請求項１または２に記載のセルフチェックアウト装置。
【請求項４】
前記情報記録手段は、前記情報媒体としてのコードシンボルに前記袋選択情報を含めて記録し、
当該コードシンボルの画像データを生成して出力する出力手段をさらに備え、
前記袋情報受付手段は、前記コードシンボルから前記袋選択情報を受付ける、請求項１ないし３のいずれか１つに記載のセルフチェックアウト装置。
【請求項５】
会員情報を受付ける会員情報受付手段をさらに備え、
前記情報記録手段は、会員情報を記憶する会員情報記憶手段に、前記会員情報受付手段が受付けた会員情報に対応付けて前記袋選択情報を記録し、
前記袋情報受付手段は、前記会員情報受付手段が受付けた会員情報に対応する前記袋選択情報を前記会員情報記憶手段から読み込んで受付ける、請求項１ないし３のいずれか１つに記載のセルフチェックアウト装置。
【請求項６】
セルフチェックアウト装置を制御するコンピュータを、
買い物袋の選択または買い物袋の不要を選択するための選択画面を介して買い物袋に関する選択操作を受付ける操作受付手段と、
前記操作受付手段が受付けた選択操作に対応する買い物袋に関する情報である袋選択情報を生成し、情報媒体に記録する情報記録手段と、
前記情報媒体を介して前記袋選択情報を受付ける袋情報受付手段と、
前記袋情報受付手段が前記情報媒体を介して前記袋選択情報を受付けると、前記選択画面における選択操作を介さずに、前記情報媒体を介して受付けた前記袋選択情報に基づいて買い物袋を選択する袋選択手段と、
として機能させるためのプログラム。
【発明の詳細な説明】
【技術分野】
【０００１】
本発明の実施形態は、セルフチェックアウト装置およびプログラムに関する。
【背景技術】
【０００２】
従来、スーパーマーケットやコンビニエンスストア等の小売店舗では、客自身が商品の販売登録および会計処理を行うセルフチェックアウト装置（セルフＰＯＳ（Point  Of  Sales）、セルフレジ）が用いられている。客は、セルフＰＯＳのスキャナを用いて商品に付された商品コードをスキャンし、買い上げる商品を登録する。また客は、商品の登録に先立ち、買い上げた商品を詰めるための買い物袋の選択を行う。
【０００３】
店員が登録作業を行うＰＯＳ装置においては、レジ袋の利用の有無や、マイバックまたはマイかご利用の有無について、オペレータである店員がＰＯＳ装置の選択画面から行う。一方、セルフＰＯＳにおいては、買い物袋の選択操作はオペレータである客自身が行う。一例としてセルフＰＯＳは、レジ袋のサイズや枚数の選択を受付けたり、マイバックやマイかごの利用を受付けたりするための選択画面を表示する。オペレータが店員ならば、これら操作を迅速にこなし易いが、客にとってこれら選択操作は煩雑であり、操作に手間取る場合が多い。
【０００４】
また、客は買い物の都度、セルフＰＯＳのガイダンスに従って選択画面から買い物袋を選択する必要があった。従って、毎回同じ買い物袋を利用しているのにも関わらず同じ選択操作を買い物の度に繰り返さなければならない場合もあり、セルフＰＯＳの利便性を向上させることが望まれていた。
【発明の概要】
【発明が解決しようとする課題】
【０００５】
本発明が解決しようとする課題は、買い物袋の選択操作について簡便化を図ることができるセルフチェックアウト装置およびプログラムを提供することである。
【課題を解決するための手段】
【０００６】
実施形態のセルフチェックアウト装置は、操作受付手段と、情報記録手段と、袋情報受付手段と、袋選択手段とを備える。操作受付手段は、買い物袋の選択または買い物袋の不要を選択するための選択画面を介して買い物袋に関する選択操作を受付ける。情報記録手段は、前記操作受付手段が受付けた選択操作に対応する買い物袋に関する情報である袋選択情報を生成し、情報媒体に記録する。袋情報受付手段は、前記情報媒体を介して前記袋選択情報を受付ける。袋選択手段は、前記袋情報受付手段が前記情報媒体を介して前記袋選択情報を受付けると、前記選択画面における選択操作を介さずに、前記情報媒体を介して受付けた前記袋選択情報に基づいて買い物袋を選択する。
【図面の簡単な説明】
【０００７】
【図１】図１は、本実施形態に係るセルフＰＯＳの外観斜視図である。
【図２】図２は、セルフＰＯＳの機能的構成を示すブロック図である。
【図３】図３は、セルフＰＯＳが実行する販売登録処理の手順例を示すフローチャートである。
【図４】図４は、袋選択画面の画面構成例を示す図である。
【図５】図５は、サイズ選択画面の画面構成例を示す図である。
【図６】図６は、枚数選択画面の画面構成例を示す図である。
【図７】図７は、確認画面の画面構成例を示す図である。
【図８】図８は、ポイントカード読取処理の手順例を示すフローチャートである。
【図９】図９は、所有確認画面の画面構成例を示す図である。
【図１０】図１０は、ガイダンス画面の画面構成例を示す図である。
【図１１】図１１は、会員情報表示画面の画面構成例を示す図である。
【図１２】図１２は、商品登録画面の画面構成例を示す図である。
【図１３】図１３は、会計画面の画面構成例を示す図である。
【図１４】図１４は、コード表示画面の画面構成例を示す図である。
【図１５】図１５は、コード表示画面における処理手順例を示すフローチャートである。
【図１６】図１６は、撮影サイズのガイダンス表示例を示す図である。
【図１７】図１７は、その他の袋選択画面の画面構成例を示す図である。
【図１８】図１８は、ガイダンス画面の構成例を示す図である。
【発明を実施するための形態】
【０００８】
本実施形態に係るセルフチェックアウト装置（セルフＰＯＳ）は、例えばスーパーマーケット等の店舗に設置されて用いられる。図１は、本実施形態に係るセルフＰＯＳ１の外観斜視図である。セルフＰＯＳ１の本体２は、ディスプレイ３ｂ、スキャナ４（本体２のスキャナ４）およびハンドスキャナ５を備えている。ディスプレイ３ｂの表面には、タッチパネル３ａが配設されている。
【０００９】
ディスプレイ３ｂとしては例えば液晶表示器が用いられる。ディスプレイ３ｂは、客にセルフＰＯＳ１の操作方法を知らせるための案内画面を表示する。また、ディスプレイ３ｂは、コードシンボルが付されていない商品の商品情報を入力するための入力画面を表示する。また、ディスプレイ３ｂは、スキャナ４やハンドスキャナ５で読み込んだ商品情報を表示する登録画面を表示する。また、ディスプレイ３ｂは、商品の合計金額や預かり金額、釣銭額等を表示し、支払い方法の選択をする会計画面等を表示する。
【００１０】
スキャナ４およびハンドスキャナ５は、商品に付されたバーコードや二次元コード等のコードシンボルを読み取る。また、スキャナ４またはハンドスキャナ５は、客の携帯型電子機器のディスプレイに表示されたコードシンボルを読み取る。スキャナ４は、光学的撮像素子を備え、読取窓手前の撮像領域を撮影する。客は商品に付されたコードシンボルや携帯型電子機器のディスプレイをスキャナ４の読取窓にかざすことで、スキャナ４にコードシンボルを読み取らせる。ダンボール箱や長尺の商品などの大型の商品に関しては、商品に付されたコードシンボルをスキャナ４の読み取り窓にかざすことは難しい。このような場合、客はハンドスキャナ５によりコードシンボルをスキャンすればよい。
【００１１】
本体２の右側にはかごに入った未清算の商品を置くための商品載置台６が設けられている。また、本体２の左側には精算済みの商品を置くための商品載置台７が設けられている。また、精算済みの商品を入れる袋を掛けるための袋掛けフック８や、精算済みの商品を袋に入れる前に一時的に置いておくための一時置き台９が設けられている。商品載置台６および７には計量器が備えられており、精算の前後で商品の重量が同じであることを確認する機能を有している。
【００１２】
また、セルフＰＯＳ１の本体２には、精算時に客のポイントカードやクレジットカードを挿入するためのカード挿入口１０が設けられている。また、本体２にはレシートを発行するレシート発行口１１が設けられている。さらに本体２には、精算用の紙幣の入金や釣り紙幣の受け取りを行うための紙幣入出金口１２が設けられている。加えて本体２には、精算時に硬貨を投入するための硬貨投入口１３、釣り硬貨を受け取るための硬貨取出口１４等が設けられている。さらに、本体２の上面にはポールが備えられている。ポールの上部には、セルフＰＯＳ１での操作に異常があった場合や店員を呼び出す場合等に点灯する警告灯１５が設けられている。
【００１３】
次に、セルフＰＯＳ１の機能的構成について説明する。図２は、セルフＰＯＳ１の機能的構成を示すブロック図である。セルフＰＯＳ１は、ＣＰＵ（Central  Processing  Unit）と、記憶手段として機能するＲＯＭ（Read  Only  Memory）およびＲＡＭ（Random  Access  Memory）（いずれも不図示）等から構成されるコンピュータ構成の制御部５０を備えている。ＲＯＭは、ＣＰＵが実行する各種プログラムや各種データを記憶する。ＲＡＭは、ＣＰＵが各種プログラムを実行する際に一時的にデータやプログラムを記憶する。また、ＲＡＭは、商品の販売記録を示す販売データや、ディスプレイ３ｂに表示する各種の画面表示データを記憶する。
【００１４】
制御部５０は、Ｉ／Ｏ（Input／Output）機器制御部３９およびバス３８を介して、タッチパネル３ａ、ディスプレイ３ｂ、スキャナ４、ハンドスキャナ５、警告灯１５、カードリーダ３０、レシートプリンタ３１、紙幣入出金ユニット３２、硬貨投入ユニット３３、硬貨排出ユニット３４、ＨＤＤ（Hard  Disk  Drive）３５等のＩ／Ｏ機器を制御し、セルフＰＯＳ１のシステム全体を制御する。
【００１５】
カードリーダ３０は、カード挿入口１０から挿入された客のポイントカードやクレジットカードの情報を読み込む。レシートプリンタ３１は、会計処理後にレシートを印刷して、これをレシート発行口１１から発行する。紙幣入出金ユニット３２は、紙幣入出金口１２から入金または出金される紙幣を処理する。また、硬貨投入ユニット３３は硬貨投入口１３から投入される硬貨を、硬貨排出ユニット３４は硬貨取出口１４に排出される硬貨を処理する。
【００１６】
制御部５０は、通信Ｉ／Ｆ３７を介してＬＡＮ（Local  Area  Network）等のネットワークＮＴで接続されたストアサーバ（不図示）や、セルフチェックの各処理を補助する店員（アテンダント）用のアテンダント端末（不図示）と相互に通信を行うことができる。
【００１７】
次に、本実施形態のセルフＰＯＳ１で実行されるプログラムについて説明する。なお、本実施形態のセルフＰＯＳ１で実行されるプログラムは、ＲＯＭ等に予め組み込まれて提供される。本実施形態のセルフＰＯＳ１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００１８】
さらに、本実施形態のセルフＰＯＳ１で実行されるプログラムを、インターネット等のネットワークに接続されたコンピュータ上に格納し、ネットワーク経由でダウンロードさせることにより提供するように構成しても良い。また、本実施形態のセルフＰＯＳ１で実行されるプログラムをインターネット等のネットワーク経由で提供または配布するように構成しても良い。
【００１９】
本実施形態のセルフＰＯＳ１で実行されるプログラムは、図２に示すように、表示制御部５１、受付部５２、登録部５３、コード生成部５４を含むモジュール構成となっている。実際のハードウェアとしてはＣＰＵ（プロセッサ）が上記ＲＯＭから本実施形態のプログラムを読み出して実行することにより上記各部が主記憶装置上にロードされる。その結果、表示制御部５１、受付部５２、登録部５３、コード生成部５４が主記憶装置上に生成されるようになっている。
【００２０】
表示制御部５１は、Ｉ／Ｏ機器制御部３９を介してディスプレイ３ｂにおける表示処理を制御する。また、表示制御部５１は、買い物袋を選択するための各種画面をディスプレイ３ｂに表示する。
【００２１】
受付部５２は、タッチパネル３ａ、スキャナ４、ハンドスキャナ５、カードリーダ３０、レシートプリンタ３１等の入力装置に対する入力操作および入力データを受付ける。また、受付部５２は、買い物袋を選択するための各種画面に対する入力操作や選択操作に応じて、客が選択した買い物袋に関する袋選択情報を受付ける。
【００２２】
登録部５３は、商品の販売登録をする。即ち登録部５３は、受付部５２の受付内容に応じて、客が購入する商品の商品情報を売上ファイルに登録する。
【００２３】
コード生成部５４は、受付部５２が受付けた袋選択情報を含めてコードシンボルを生成する。
【００２４】
生成したコードシンボルの利用に係る各部の機能について概略的に説明する。表示制御部５１はコード生成部５４が生成したコードシンボルをディスプレイ３ｂに表示する。客は、携帯型電子機器のカメラによりこのコードシンボルを撮影し、次回以降の買い物時にコードシンボルをスキャナ４でスキャンする。受付部５２は、コードシンボルに含められている袋選択情報を読み取って受付ける。尚、より詳細な機能や処理についてはフローチャートを用いて後述する。
【００２５】
次に、セルフＰＯＳ１が実行する販売登録処理について、その手順例および画面遷移例を並行して説明する。図３は、セルフＰＯＳが実行する販売登録処理の手順例を示すフローチャートである。
【００２６】
表示制御部５１は、人感センサ（不図示）の反応に応じてディスプレイ３ｂに袋選択画面７１（図４参照）を表示する（ステップＳ１）。
【００２７】
図４は、袋選択画面７１の画面構成例を示す図である。袋選択画面７１には、買い物袋を選択するためのアイコン８１〜８３が設けられている。アイコン８１は、レジ袋の利用を選択するためのアイコンである。アイコン８２は、マイバックやマイかごの利用によりレジ袋は不要である際に選択するためのアイコンである。アイコン８３は、レジ袋やマイバック等の買い物袋を利用しない場合に選択するためのアイコンである。受付部５２は、アイコン８１〜８３のいずれか１つが選択されると、各アイコンに対応付けられた買い物袋を利用登録し、料金が発生する際には合わせて販売登録を行う。
【００２８】
また、袋選択画面７１には、本実施形態にかかる袋情報読取処理を行うためのガイダンスメッセージ１０１とイラスト１０２とが表示される。これらガイダンスに従って客は携帯型電子機器のディスプレイに本実施形態のコードシンボルを表示させる。スキャナ４はコードシンボルから情報読取を行う（ステップＳ２：Ｙｅｓ）。すると、受付部５２は、コードシンボルから読み取った情報に基づいて、客が利用する買い物袋を示した情報（袋選択情報）を受付ける。すなわち、ステップＳ２〜Ｓ７における画面表示のステップや、後述する各画面における選択受付、入力受付等の処理をスキップして、ステップＳ８に手順を進めることができる。
【００２９】
尚、セルフＰＯＳ１は、袋選択情報を含むコードシンボルをステップＳ２〜Ｓ７における袋選択処理の後に生成する。従って、袋選択処理について先に説明し、コードシンボル生成処理や、客が当該コードシンボルを携帯型電子機器に取り込む処理については後述する。
【００３０】
ステップＳ３〜Ｓ７における袋選択処理について説明する。ステップＳ２：ＮｏならばステップＳ３に移行する。そして、受付部５２がアイコン８１の選択を受付けると（ステップＳ３：Ｙｅｓ）、表示制御部５１は、サイズ選択画面７２（図５参照）をディスプレイ３ｂに表示する（ステップＳ４）。サイズ選択画面７２は、レジ袋のサイズを選択するための画面である。
【００３１】
図５は、サイズ選択画面７２の画面構成例を示す図である。図５では、サイズ選択画面７２に、大サイズのレジ袋を選択するためのアイコン８５と、小サイズのレジ袋を選択するためのアイコン８６とを設けた例を示した。尚、ここでは２つのサイズから選択する例について示したが、３つ以上のサイズが準備されてもよい。
【００３２】
受付部５２がアイコン８５またはアイコン８６の選択を受付けると、表示制御部５１は、枚数選択画面７３（図６参照）をディスプレイ３ｂに表示する（ステップＳ５）。枚数選択画面７３は、各サイズのレジ袋の利用枚数を選択するための画面である。
【００３３】
図６は、枚数選択画面７３の画面構成例を示す図である。枚数選択画面７３には、サイズ選択画面７２で選択されたサイズのレジ袋について、利用枚数を選択（入力）するためのテンキーが設けられている。テンキーの入力を受付けると、表示制御部５１は各サイズのレジ袋の単価とテンキー入力値とを用いて小計金額を算出し表示する。また、ＯＫボタンが選択操作されると、受付部５２はテンキー入力値をレジ袋利用枚数として受付ける。表示制御部５１は、レジ袋のサイズおよび枚数を確認するための確認画面７４（図７参照）をポップアップ表示する（ステップＳ６）。
【００３４】
図７は、確認画面７４の画面構成例を示す図である。確認画面７４には、各サイズのレジ袋の利用枚数が表示される。「ＯＫ」のアイコンが選択されると、受付部５２はレジ袋の利用代金を売上データとして計上する。「追加」のアイコンが選択されると、表示制御部５１はサイズ選択画面７２を表示し、上述と同様の受付手順により他のサイズのレジ袋の利用枚数を受付ける。そして、確認画面７４において「ＯＫ」のアイコンが選択されると、ステップＳ８に移行する。
【００３５】
一方、レジ袋のアイコン８１が選択されなければ（ステップＳ３：Ｎｏ）、受付部５２はアイコン８２またはアイコン８３が選択されたか判定する（ステップＳ７）。上述のようにアイコン８２、８３は袋が不要な場合に選択されるアイコンである。従って、アイコン８２またはアイコン８３が選択された場合（ステップＳ７：Ｙｅｓ）、レジ袋の利用料金は発生せず、料金計算や販売登録の処理も不要である。従って、この場合にはステップＳ８に移行する。なお、ステップＳ７：ＮｏであればステップＳ１に戻る。
【００３６】
次に、ステップＳ８のポイントカード読取処理について、図８を用いて説明する。図８は、ポイントカード読取処理の手順例を示すフローチャートである。表示制御部５１はディスプレイ３ｂにポイントカードの有無を問う所有確認画面７５（図９参照）を表示する（ステップＳ２１）。
【００３７】
図９は、所有確認画面７５の画面構成例を示す図である。所有確認画面７５は、客がカードを所有している旨を選択するためのアイコン９１と、カード非所有である旨を選択するためのアイコン９２とを備えている。アイコン９２が選択された場合（ステップＳ２２：Ｎｏ）にはポイントカード読取処理を終了し、図３のステップＳ９に移行する。アイコン９１が選択されカード所有である旨が選択されると（ステップＳ２２：Ｙｅｓ）、表示制御部５１はガイダンス画面７６（図１０参照）を表示する（ステップＳ２３）。
【００３８】
図１０は、ガイダンス画面７６の画面構成例を示す図である。ガイダンス画面７６は、ポイントカードをカードリーダ３０に挿入する旨を、メッセージおよびイラストでガイダンスする画面である。ガイダンスに従って客がポイントカードをカードリーダ３０に挿入すると、受付部５２はカードリーダ３０がポイントカードから読み取った会員情報を受付ける。次に、表示制御部５１は会員情報表示画面７７（図１１参照）により読み取った会員情報を表示する（ステップＳ２４）。
【００３９】
図１１は、会員情報表示画面７７の画面構成例を示す図である。一例として、会員情報表示画面７７には、会員番号、会員の所有ポイント数等が表示される。会員情報表示画面７７には確認アイコン９３が設けられている。確認アイコン９３が選択されると（ステップＳ２５：Ｙｅｓ）、表示制御部５１は会員情報表示画面７７の表示処理およびポイントカード読取処理を終了する。そして図３のステップＳ１０に移行する。確認アイコン９３が選択されない間（ステップＳ２５：Ｎｏ）は、会員情報表示画面７７の表示を続ける。
【００４０】
図３に戻って、カード読取処理が終了すると（ステップＳ８）、表示制御部５１はディスプレイに商品登録画面７８（図１２参照）を表示する（ステップＳ９）。
【００４１】
図１２は、商品登録画面７８の画面構成例を示す図である。客は商品に付されたコードシンボルをスキャナ４またはハンドスキャナ５で読み取る。すると、制御部５０はコードシンボルから読み取られた商品情報を用いて当該商品の販売登録を行う。商品登録画面７８の構成ならびに商品登録画面７８における商品登録処理については従来と同様の構成および処理を適用すればよいので、ここでの詳述は省略する。商品登録画面７８には会計アイコン１０３が設けられている。会計アイコン１０３が選択されると、表示制御部５１はディスプレイ３ｂに会計画面７９を表示する（ステップＳ１０）。
【００４２】
図１３は、会計画面７９の画面構成例を示す図である。会計画面７９には支払方法を選択するためのアイコンが設けられており、制御部５０は選択に応じて会計処理を行う。また、購入金額に応じて客の会員番号に対してポイントを加算する。なお、会計画面７９の構成ならびに会計画面７９における会計処理については従来と同様の構成および処理を適用すればよいので、ここでの詳述は省略する。
【００４３】
各支払方法に応じた会計処理が終了し決済が完了すると、コード生成部５４はステップＳ３〜Ｓ７およびＳ８における受付内容に基づき、コードシンボルを生成する。尚、コードシンボルには少なくとも買い物袋に関する選択内容が含まれていればよく、会員情報は含めなくてもよい。表示制御部５１は、最終画面として図１４に示すようなコード表示画面８０を表示する（ステップＳ１１）。
【００４４】
図１４は、コード表示画面８０の画面構成例を示す図である。図１４に示すように、コード表示画面８０には、コード生成部５４が生成したコードシンボル９４が表示される。また、コード表示画面８０には、コードシンボル９４に含められた登録情報９５が「登録内容」として表示される。これによりオペレータである客は、コードシンボル９４に含められた情報を確認することができる。また、各々の登録情報に添えて、各登録情報を変更するための変更アイコン９６、９７が設けられている。
【００４５】
図１５は、コード表示画面８０における処理手順例を示すフローチャートである。受付部５２が変更アイコン９６、９７の選択を受付けると（ステップＳ３１：Ｙｅｓ）、ステップＳ３２に移行する。表示制御部５１は、登録情報の変更を受付けるための受付画面（不図示）をポップアップ表示する（ステップＳ３２）。受付部５２は受付画面における情報編集を受付け、受付画面を終了してコード表示画面８０に表示を戻す。なお、ステップＳ３１：ＮｏであればステップＳ３５に移行する。
【００４６】
受付部５２は、コード表示画面８０においてコード生成アイコン９８が選択操作されたか否かを判定する（ステップＳ３３）。ステップＳ３３：ＮｏであればステップＳ３５に移行する。コード生成アイコン９８が選択されると（ステップＳ３３：Ｙｅｓ）、コード生成部５４は、変更内容を反映して、コードシンボルを再度生成し直す（ステップＳ３４）。そして、表示制御部５１は、再生成されたコードシンボルをコード表示画面８０に再度表示し直す。
【００４７】
その後、受付部５２は、トップ画面に戻るためのアイコン９９が選択されたか否かを判定する（ステップＳ３５）。アイコン９９が選択されると（ステップＳ３５：Ｙｅｓ）、コード表示画面８０に関する処理、即ち、図３のステップＳ１１における処理を終了する。そして、表示制御部５１はコード表示画面８０の表示を終了し、次取引分のスタート画面として、袋選択画面７１を表示する（ステップＳ１）。アイコン９９が選択されない間（ステップＳ３５：Ｎｏ）は、選択待ちをする。
【００４８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００４９】
例えば、コード表示画面８０には、コードシンボルの撮影サイズに関するガイダンスを表示してもよい。図１６は、ガイダンスを含むコード表示画面８７の構成例を示す図である。一例として表示制御部５１は、ガイダンス８８の吹き出しを間欠的に表示する。また、ガイダンス８８には、ガイダンスメッセージとともに、推奨サイズの数値や、携帯型電子機器に表示されているコードシンボルを模式的に示したイラストを含めるとよい。このようにイラスト表示することで、推奨する撮影サイズを直感的に分かり易く提示することができる。
【００５０】
また上述では、袋選択画面７１にコードシンボルをかざす旨のガイダンスを表示したが、ガイダンスの表示方法はこれに限定されない。図１７は、その他の袋選択画面７１ｂの画面構成例を示した図である。図１７に示すように、袋選択画面７１ｂに、コードシンボル読取を開始するためのアイコン１０４を設けてもよい。そして、アイコン１０４が選択されると、表示制御部５１は図１８に示すようなガイダンス画面７１ｃを表示してもよい。アイコンの選択操作が１回増えてしまうが、袋選択画面７１ｂにおける表示を、ガイダンスを含めた袋選択画面７１（図４参照）よりも簡素化することが可能である。つまり、客にとって見易い表示構成とすることが可能である。
【００５１】
また、コードシンボルの出力方法は上述した例に限定されない。上述のように生成したコードシンボルをレシートに印字し、次回以降の買い物時に当該レシートをスキャナ４にかざして袋選択情報を読み込んでもよい。或いは、セルフＰＯＳ１はコードシンボルの画像をサーバ装置にアップロードしてもよい。そして、顧客端末（例えば携帯型電子機器）がサーバ装置からコードシンボルの画像をダウンロードしてもよい。この際、ダウンロードされる画像サイズを上述した推奨サイズとするとよい。或いは、画像データに推奨サイズを示すデータを付して、携帯型電子機器での表示処理においてコードシンボルが推奨サイズで表示されるように構成するとよい。
【００５２】
また、上述では、情報媒体としてコードシンボルを用いた例について説明したが、他の情報媒体に袋選択情報を記憶させてもよい。例えば、ポイント管理用の会員マスタにおいて、会員ＩＤ等の会員情報に対応付けて袋選択情報を格納する。そして、会員カードから会員ＩＤが読み取られた場合に、会員マスタから当該会員ＩＤに対応する袋選択情報を読み込んでもよい。またこの場合、セルフＰＯＳ１のＨＤＤ３５が会員マスタを備えてもよいが会員マスタの保存場所は限定されない。その他の例として、セルフＰＯＳ１に接続されたサーバ装置が会員マスタを備え、セルフＰＯＳ１がネットワーク通信を介して情報を読み込んでもよい。
【００５３】
さらに、情報媒体として会員カードや客の携帯型電子機器を用いてもよい。即ち、会員カード内、または携帯型電子機器のメモリに袋選択情報を格納させて、カードリーダや無線通信等を介してこれら情報媒体から袋選択情報を読み込み、受付けてもよい。
【００５４】
また、上述では、商品登録の前に買い物袋の選択操作を受付けたが、商品登録後に買い物袋の選択操作を受付けてもよい。
【００５５】
また、買い物袋の選択に関する各種選択画面は適宜変更であり、上述した構成例に限定されない。従って、コードシンボルの読取により省略される画面も、上述の画面遷移例で示したものに限定されない。また、図４のようにコードシンボルをかざすためのガイダンスが選択画面に含まれる場合、この画面（袋選択画面７１）の表示は省略できない。すなわちセルフＰＯＳ１は、買い物袋の選択に関する選択画面のうち全てを省略してもよいが、少なくとも一部を省略すればよいものとする。
【００５６】
以上説明したとおり、本実施形態は、選択画面における選択に基づき、客が選択した買い物袋に関する袋選択情報を生成し、コードシンボル或いは会員マスタ等の情報媒体に記録する。そして、次回以降の商品登録処理において、当該情報媒体を介して袋選択情報を受付けて買い物袋を選択する。このように本実施形態によれば、次回以降の買い物時に選択画面における選択操作を省略することができる。従って、本実施形態によれば、買い物袋の選択操作について簡便化を図ることができる販売データ処理装置およびプログラムを提供することができる。
【符号の説明】
【００５７】
１…セルフＰＯＳ、５１…表示制御部、５２…受付部、５３…登録部、５４…コード生成部、７１…袋選択画面、７２…サイズ選択画面、７３…枚数選択画面、７４…確認画面、７５…所有確認画面、７６…ガイダンス画面、７７…会員情報表示画面、８０…コード表示画面、９４…コードシンボル。
【先行技術文献】
【特許文献】
【００５８】
【特許文献１】特開２０１２−１０８９４２号公報
【図１】
0006336359.tif 000002
【図２】
0006336359.tif 000003
【図３】
0006336359.tif 000004
【図４】
0006336359.tif 000005
【図５】
0006336359.tif 000006
【図６】
0006336359.tif 000007
【図７】
0006336359.tif 000008
【図８】
0006336359.tif 000009
【図９】
0006336359.tif 000010
【図１０】
0006336359.tif 000011
【図１１】
0006336359.tif 000012
【図１２】
0006336359.tif 000013
【図１３】
0006336359.tif 000014
【図１４】
0006336359.tif 000015
【図１５】
0006336359.tif 000016
【図１６】
0006336359.tif 000017
【図１７】
0006336359.tif 000018
【図１８】
0006336359.tif 000019